(57)【特許請求の範囲】
【請求項１】
生きた家禽を収容するための家禽容器の蓋であって、
２つの実質的に平行なガイドと、
前記ガイドに両側で可動に接続された複数の縦支持体と、
前記縦支持体に接続された可撓性カバーシートとを備え、
前記平行なガイドには、前記ガイド上への前記縦支持体の好適な位置決めのための好適な保持位置が設けられていることを特徴とする家禽容器の蓋。
【請求項２】
前記実質的に平行なガイドの前記好適な保持位置は、前記ガイド上のレリーフにより定められることを特徴とする請求項１に記載の家禽容器蓋。
【請求項３】
前記実質的に平行なガイドの前記好適な保持位置は、磁力により定められることを特徴とする請求項１又は２に記載の家禽容器蓋。
【請求項４】
前記可撓性カバーシートは複数の開口が設けられていることを特徴とする請求項１〜３のいずれかに記載の家禽容器蓋。
【請求項５】
前記可撓性カバーシートはネットであることを特徴とする請求項１〜４のいずれかに記載の家禽容器蓋。
【請求項６】
少なくとも１つの縦支持体は前記ガイドに接続され固定されていることを特徴とする請求項１〜５のいずれかに記載の家禽容器蓋。
【請求項７】
ガイドには該ガイドを家禽容器に接続するための連結器が設けられていることを特徴とする請求項１〜６のいずれかに記載の家禽容器蓋。
【請求項８】
底壁と、該底壁から突出した４つの側壁と、請求項１〜７のいずれかに記載の家禽容器の蓋とを備え、
該家禽容器蓋は前記側壁に前記底壁から離して接続されていることを特徴とする生きた家禽を収容するための家禽容器。
【請求項９】
前記好適な保持位置は、少なくとも前記家禽容器の２つの対向する側壁に隣接した位置上の前記平行なガイド上で、２つの対向する壁間の中央の１つ以上の位置に位置することを特徴とする請求項８に記載の生きた家禽を収容するための家禽容器。
【請求項１０】
前記家禽容器には、前記側壁の１つの一部と、前記底壁の該側壁の一部が接続された一部とにより形成された扉が設けられており、前記扉は、前記家禽容器の残りの部分に可動に接続され、前記扉が前記家禽容器の残りの部分に嵌った状態と前記扉が前記側壁と前記底壁とに家禽の通路用の開口を残した状態の間で変位可能であることを特徴とする請求項８又は９に記載の生きた家禽を収容するための家禽容器。
【請求項１１】
前記扉は、前記扉が設置された側壁の中央に位置していることを特徴とする請求項８〜１０のいずれかに記載の家禽容器。
【請求項１２】
前記扉は、前記底壁の残りの部分にスライド可能に接続されていることを特徴とする請求項８〜１１のいずれかに記載の家禽容器。
【請求項１３】
複数の積み重ねられた家禽容器を備え、前記複数の家禽容器は前記家禽容器の積み重ねの上部に配置された請求項８〜１２のいずれかに記載の家禽容器蓋を備えた家禽容器を含むことを特徴とする生きた家禽を収容するための家禽容器組立体。
【請求項１４】
前記家禽容器組立体は家禽容器台を含むことを特徴とする請求項１３に記載の家禽容器組立体。
【発明の詳細な説明】
【技術分野】
【０００１】
本発明は、生きた家禽を収容するための家禽容器を区切る家禽容器蓋、家禽容器蓋を備える生きた家禽を収容するための家禽容器、及び家禽容器蓋を備える家禽容器が最上部に配置された家禽容器の積み重ねを備える生きた家禽を収容するための家禽容器組立体に関する。
【背景技術】
【０００２】
家禽の収容と輸送（例えば、養鶏場内、養鶏場から別の養鶏場へ、輸送車両上、養鶏場から食鳥処理場へ、又は食鳥処理場内）の間、生きた家禽は通常、家禽保持器に収容され又は家禽保持器に入れられ輸送される。このような家禽保持器は通常、およそ１ダース又は数ダースの複数の動物を収容するよう設計されている。これらの家禽保持器はパレット、枠箱、ケージ、又は容器とも称される。容易な物流のために、複数のそのような家禽保持器を共用支持構造体内において結合してもよく、その共用支持構造体は、家禽保持器をコンパクトに積み重ね、支持構造体を幾つかの保持器と一緒に単一ユニットとして移動するのを可能にする。支持構造体は、スチール枠から構成されてもよく、そのスチール枠内には複数の家禽保持器が積み重ねられて（多層に）収容され、該スチール枠からこれら家禽保持器を全部又は部分的に取り除くことができる。従って、該支持構造体は例えば、整理ダンスの引き出しと同様に、これら家禽保持器がスライドして選択可能に支持構造体内に完全に入ったり出たりできるように具現化されてもよい。別の可能性は、支持構造体が個々に制御可能な閉じる手段が設けられた複数の区画を備えるように家禽容器を支持構造体と一体化することである。
【０００３】
これに替えて、複数の個々の家禽容器を使用して互いに積み重ねて所望の高さの家禽容器組立体に組み立ててもよい。実際には、例えば４〜６個の積み重ねられた家禽容器の積み重ねを有する家禽容器組立体を使用する場合がある。家禽容器組立体の生きた家禽を収容する各家禽容器は、家禽容器組立体の最上部の家禽容器を除いて、その家禽容器の上に置かれた家禽容器によって覆われる。
【発明の概要】
【０００４】
本発明の目的は、生きた家禽を収容するための家禽容器の効率的で効果的な家禽容器蓋であって最上部の家禽容器を覆う家禽容器蓋と、このような蓋を備える家禽容器とを提供することである。本発明の更なる目的は、生きた家禽の収容と輸送における適応性を支援することである。
【課題を解決するための手段】
【０００５】
本発明は、この目的のために、２つの実質的に平行なガイドと、前記ガイドに両側で可動に接続された複数の縦支持体と、前記縦支持体に接続された可撓性カバーシートとを備える、生きた家禽を収容するための家禽容器の蓋を提供する。前記平行なガイドには、前記ガイド上への前記縦支持体の好適な位置決めのための好適な保持位置が設けられている。
【０００６】
このような家禽容器蓋は、簡単で堅固でコンパクトな構造の囲いと組み合わされた該家禽容器蓋の制御された開閉を可能にする。縦支持体をガイドに沿って移動させることで、可撓性カバーシートを、可撓性カバーシートがガイド間の空間（表面領域）を実質的に閉め切った、言い換えると、家禽がガイド間の空間を通過するのを防ぐ状態にしてもよい。家禽容器が少なくとも部分的に家禽で満たされた状況において、本発明に係る家禽容器蓋を閉めることで、家禽容器からの家禽の無制御な移動を防いでよい。従って、例えば、家禽容器の輸送の間は蓋を閉め、家禽が処理される場所（又は家禽が家禽容器に積み込まれる場所）で、縦支持体を互いに向かって移動させることで、蓋を開けてよい。縦支持体を互いに向かって移動させることで、可撓性カバーシートも移動され、蓋がガイド間の空間（表面領域）のより小さい部分を覆う。縦支持体の相対的な動きに依って、ガイド間の空間のより小さい又はより大きい部分が可撓性カバーシートによってもはや覆われない。従って、家禽容器蓋が付いた家禽容器を家禽で満たす又は家禽を放出してもよい。家禽容器が使用される様々な処理（例えば、荷積み、輸送、荷降ろし、クリーニング、貯蔵、及びその他）は、ガイドに対する縦支持体の異なる向きを必要とする場合がある。本発明に係る家禽容器蓋は、２つの対向する側から蓋を開けるのを可能にし、家禽容器蓋を大きく（即ち、家禽容器蓋により覆われる可能性のある領域の５０％よりずっと大きく）開けるのを可能にするという利点を有する。
【０００７】
ガイド上への縦支持体の簡単で正確な位置決めにおいて作業者を援助するために、該平行なガイドには、該ガイド上への縦支持体の好適な位置決めのための好適な保持位置が設けられている。これは1つ以上の縦支持体をガイド上の所望の位置に移動する場合、作業者のための「フィードバック」（例えば、触覚バリア）（又は機械システムへのフィードバック）があることを意味する。例えば、「完全に開いた」、「中程度開いた」、及び／又は「完全に閉じた」のための好適な保持位置が、縦支持体の、従って可撓性カバーシートの正確な位置決めを容易にするために設けられてよい。本発明に係る家禽容器蓋の追加の利点は、縦支持体がスライド可能であり、従って、家禽容器蓋の上にかなりの空間を必要とすることなく（開及び／又は閉はほぼ単一の平面内で行われるため）蓋を開閉できる点である。
【０００８】
本発明に係る家禽容器蓋のガイドの好適な保持位置は、ガイド上のレリーフ、例えば、隆起、こぶ、面取りした曲面、及び／又は面取りした斜面により定められてよい。代わりに、又はガイド上のレリーフに加えて、ガイドの好適な保持位置は、磁力、例えば、ガイド及び縦支持体内の協働する磁気素子により定められてよい。ガイド上の縦支持体の定められた保持位置の利点は、蓋のより簡単な使用を可能にする。例えば、開閉時において、1つ以上の縦支持体の好適な位置は、意図された使用が実現されるのを保証する。家禽容器蓋を閉じる時、縦支持体が、ガイド間の全空間（表面領域）が家禽の通過に対して塞がれている状態である「閉じた位置」にあることを確信するのが望ましい。この状態においては、これらの縦支持体はガイドの全長に亘って分散されていなければならない。1つの側又は２つの対向する側から家禽容器蓋を開ける時、家禽容器蓋が家禽容器内部への良好なアクセスを提供するのに十分開いていると確信するように、これらの縦支持体をより近くなるようにしなければならない。定められた保持位置の提供は、更なる使い易さと家禽容器蓋の使用中の問題の可能性の減少とを保証する。
【０００９】
１つ以上の縦支持体がガイドに対して可動でないことも可能である。例えば、中央の縦支持体がガイドに接続され固定されて（静止して）、例えば、他の縦支持体を（２箇所の）開いた位置に移動させるのを可能にする中央の固定された位置を提供してもよい。２つの対向する側から全ての縦支持体を固定された中央の縦支持体に向かって変位（移動）させる。或いは、外側の縦支持体の１つがガイドに接続され固定されて（静止して）、公然の事実として1つの側から開けられる蓋を提供してもよい。
【００１０】
可撓性カバーシートは、例えば開口のある合成シート、又はネット、例えば金網構造体のように、複数の開口が設けられてよい。カバーシートの開口の利点は、該カバーシートは本発明に係る家禽容器蓋で閉じられた家禽容器に収容された生きた家禽の換気を可能にする点である。
【００１１】
また、ガイドには該ガイドを家禽容器に接続するための連結器が設けられてもよい。このような連結器は本発明に係る家禽容器及び家禽容器蓋の容易な組立て（及び分解）を可能にする。
【００１２】
本発明は生きた家禽を収容するための家禽容器も提供し、該家禽容器は  底壁と、該底壁から突出した４つの側壁と、本発明に係る家禽容器の蓋とを備え、該家禽容器蓋は前記側壁に前記底壁から離して接続されている。家禽容器は、家禽容器蓋で区切られてもよいが、アクセス可能にもされてよい。家禽容器蓋の好適な保持位置は、少なくとも前記家禽容器の２つの対向する側壁に隣接した位置上の前記平行なガイド上で、２つの対向する壁間の中央の１つ以上の位置に位置する。これは縦支持体が対向する側壁の近くに位置するのを可能にし、従って、カバーシートに、家禽容器蓋が閉じられた場合に家禽が家禽容器から逃げたり又は入ったりするのを防がせる。どの縦支持体がガイドに可動に接続されているかに依って、1つの側から又は２つの対向する側から家禽容器蓋を開けてよい。家禽容器蓋を備える家禽容器は、家禽の物流搬送のために個別に使用されてもよいが、通常このような家禽容器は、積み重ねた家禽容器のうち最上部の家禽容器として使用される（より詳細に後述する）。
【００１３】
家禽容器には、前記側壁の１つの一部と、前記底壁の該側壁の一部が接続された一部とにより形成された扉が設けられており、前記扉は、前記家禽容器の残りの部分に可動に接続され、前記扉が前記家禽容器の残りの部分に嵌った状態と前記扉が前記側壁と前記底壁とに家禽の通路用の開口を残した状態の間で変位可能である。家禽容器蓋が少なくとも部分的に開けられた状況において、扉はアクセス可能であり、家禽容器の下の位置へアクセスするために使用されてもよい。扉は、ガイドを扉の動く領域から離すために該扉が設置される側壁の中央に位置してもよい。家禽容器蓋と扉との好ましくない干渉を更に防ぐために、扉は底壁の残りの部分にスライド可能に接続されてもよい。
【００１４】
本発明は、複数の積み重ねられた家禽容器を備える生きた家禽を収容するための家禽容器組立体も提供する。前記複数の家禽容器は前記家禽容器の積み重ねの上部に配置された本発明に係る家禽容器蓋を備えた家禽容器を含む。家禽容器は、下にある家禽容器がその上に配置される家禽容器により閉じられるように該下にある家禽容器の上に家禽容器を配置することで積み重ねられてよい。該組立体は家禽容器台を含んでもよい。家禽容器台はその上に積み重ねられる家禽容器と異なる機能を果たす必要があるので家禽容器と構造が異なる。好ましくは、家禽容器台には、例えばフォークリフトトラックのフォークを収容するための差し込み口も設けられる。
【００１５】
前述したように、最上部の家禽容器は、該最上部の家禽容器を覆うために本発明に係る家禽容器蓋を備えている。実際には、その上に続いて４つ（又は５つ）の家禽容器（最上部の家禽容器は家禽容器蓋を備える）が配置される家禽容器台がしばしば使用される。しかし、家禽容器台を含む又は含まないより大きい又はより小さい組立体を要望に応じ使用してもよい。組立体の高さ／容量の変更は、家禽容器組立体を実際の状況に適応させるのを可能にする。その上に１つ以上の家禽容器が積み重ねられる家禽容器台の組立体であって、その上に家禽容器台が再び積み重ねられ、その上に続く１つ以上の家禽容器（最上部の家禽容器は家禽容器蓋を備える）が積み重ねられた組立体を組み立てることも可能である。例えば、荷積み又は荷降ろしのための実際の積み重ねサイズは、４つの家禽容器を有する台であり、一方、輸送手段（例えば、トラック）はそのような「５層」の組立体を２つ積み重ねるのを許し、結果、「１０層」の輸送組立体構成となる場合がある（５番目と１０番目の家禽容器要素は家禽容器蓋を備える）。このような構成は１０層組立体を２つの５層組立体に降ろすのを可能にする。該２つの５層組立体の最上部の家禽容器は両方とも蓋付きの最上部の家禽容器である。この機能性を提供するために、家禽容器蓋は家禽容器の底壁から突出した側壁の上側より下に位置してもよく、その結果、かなりの重量が家禽容器蓋にかかることなく、家禽容器蓋を備える家禽容器上に家禽容器（又は家禽容器台）を積み重ねることが可能である。
【図面の簡単な説明】
【００１６】
以下に、下記の図に示された非限定的で典型的な実施形態に基づいて、本発明を更に説明する。
【００１７】
【図１】閉じた状態にある本発明に係る家禽容器蓋の概略斜視図を示す。
【図２Ａ】ガイドと縦支持体の一部の断面を示す。
【図２Ｂ】縦支持体の外側端の概略斜視図を示す。
【図３】部分的に開いた状態にある図１に示したような家禽容器蓋の概略斜視図を示す。
【図４】完全に開いた状態にある図１及び図３に示したような家禽容器蓋の概略斜視図を示す。
【図５Ａ】縦支持体の外側端の別の実施形態と、該縦支持体の外側端に配置される磁石との概略斜視図を示す。
【図５Ｂ】ガイドの端部と、該ガイドに入れられる磁石を保持する帯板との斜視図を示す。
【図６】縦支持体の一部と該縦支持体にクランプされた可撓性カバーシートの斜視図を示す。
【図７】可撓性カバーシートの別の実施形態の上面図を示す。
【図８】閉じた本発明に係る蓋を備える家禽容器の概略斜視図を示す。
【図９】開いた本発明に係る蓋を備える最上部の家禽容器を含む家禽容器組立体の概略斜視図を示す。
【発明を実施するための形態】
【００１８】
図１は、２つの平行ガイド２（ここでは棒として具現化されている）を有する家禽容器蓋１を示す。平行ガイド２に沿って縦支持体３がスライド可能である。縦支持体３は両側にガイド２を囲む２つのブラケット４を備える。縦支持体３は可撓性カバーシート５（ここではネットとして具現化されている）を張る。図１にも示されているが図２Ａに明確に描かれているように、ガイド２は、縦支持体３の一部であるブラケット４の好適な位置を定める傾斜したノッチ６を有する。ブラケット４は図２Ｂにより詳細に示されている。ブラケット４がガイド２から外れるのを防ぐために、ブラケット４はガイド２を囲む閉じた開口７を有する。
【００１９】
図３には、図１に示したような家禽容器蓋１が再度描かれているが、半分開いた状態である。２つの縦支持体３’及び３”が平行ガイド２の中央に向かって移動され、ガイド２の間に、カバーシート５によってもはや覆われていない空間８が作られる。この半分開いた状態の家禽容器蓋１は、家禽容器に取り付けられた場合、家禽容器への入口を提供する。図４には図１及び図３に示したような家禽容器蓋１が再度示されているが、完全に開いた状態であり、全ての縦支持体３がガイド２の中央に向かって移動されている。これに替えて、全ての縦支持体３を一緒にガイド２の他のどこかに（ガイド２の中央ではなく、例えばガイド２の両方の側の一方に）移動することで家禽容器蓋１を完全に開いてもよい。縦支持体３のこの状態において、可撓性カバーシート５は２つのガイド２の間の開口（空間）をもはや覆っていない。
【００２０】
図５Ａには、１つの縦支持体からのブラケット１０の一部が示されており、磁石１２を保持するための開口１１を備えている。このブラケット１０は好ましくは図５Ｂに示したようなタイプのガイド１３と組み合わせて使用される。ガイド１３は、幾つかの磁石１７を保持する帯板１６のための内部保持構造１５を有する形材部１４によって形成される。ブラケット１０内の磁石１２とガイド１３内の磁石１７との協働によりガイド１３上の縦支持体３のブラケット１０の好適な位置が定められる。従って、図５Ａ及び図５Ｂに係る実施形態では、図１、図２Ａ、図３、及び図４に示したような傾斜したノッチ６は不必要である。
【００２１】
図６は、可撓性カバーシート（ネット）２１を保持する縦支持体２０の一部の斜視図を示す。カバーシート２１は縦支持体２０にクランプ要素２２を使用して取り付けられている。図７には代わりのカバーシート２３の上面図が示されている。ここで、カバーシート２３は空間２５が開いた合成フィルム２４である。
【００２２】
図７は生きた家禽を収容するための、底壁３１と底壁３１から突出した４つの側壁３２〜３５とを有する家禽容器３０を示す。扉３６が１つの側壁３５の一部と底壁３１の一部とにより形成されている。扉３６は、扉３６が家禽容器３０の残りの部分に嵌った状態（図８に示す）と扉３６が側壁３５と底壁３１とに家禽の通路用の開口を残した状態（図９に示す）の間で変位可能である。家禽容器３０の側壁３２〜３５には通気／換気のための複数の開口３７が設けられている。また、家禽容器３０は、家禽容器３０の上に積み重ねられる可能性のある構造体の重量を支えるための支柱３８を有する。家禽容器３０には家禽容器蓋３９も設けられ、ここでは閉じた状態で示されている。家禽容器蓋３９のより詳細な説明のために前出の図群を参照する。例えば、ガイドを家禽容器３０に溶接することで、家禽容器蓋３９は家禽容器３０と完全に一体化されてもよいが、代わりに、家禽容器蓋３９は家禽容器３０に取り外し可能に取り付けられてもよい。取り外し可能な取り付けは、例えばクランピング取り付け、形状嵌合取り付け、スナップ嵌合取り付け、ボルト留め取り付け、これらの取り付けの組み合わせ、及び／又は別の取り外し可能な取り付けである。
【００２３】
図９は、家禽容器台４１の上に続いて４つの家禽容器４２が積み重ねられた家禽容器組立体４０の概略斜視図を示す。家禽容器台４１は、開口４４が家禽容器台４１を搬送するために設けられた２つの平行な差し込み口４３を有する。全ての家禽容器４２の扉３６（図８も参照）は開いた状態にあり、例えば家禽容器台４１に生きた家禽を積み込むことを可能にする。家禽容器台４１に積み込まれた後、下方の家禽容器４２’の扉３６は閉じられる（図８に描かれたような状態へ）場合がある。下方の家禽容器４２’に積み込まれる場合があり、この手順が全ての家禽容器４２に積み込まれるまで繰り返される場合がある。最上部の家禽容器４２”を含む全ての家禽容器４２に積み込んだ後、最上部の家禽容器４２”の一部である家禽容器蓋４５は、最上部の家禽容器４２”に積み込まれた生きた家禽を保持するために閉じられる場合がある。
【図１】
0006946426.tif 000002
【図２Ａ】
0006946426.tif 000003
【図２Ｂ】
0006946426.tif 000004
【図３】
0006946426.tif 000005
【図４】
0006946426.tif 000006
【図５Ａ】
0006946426.tif 000007
【図５Ｂ】
0006946426.tif 000008
【図６】
0006946426.tif 000009
【図７】
0006946426.tif 000010
【図８】
0006946426.tif 000011
【図９】
0006946426.tif 000012